(57)【特許請求の範囲】
【請求項１】
挿入側に挿入突き当て面を有した操作部、およびこれに一体とされ、複数の凹形状部が形成された挿入部を備えた鍵と、
外筒と、
該外筒の内部に配設され、前記挿入突き当て面に対向して鍵突き当て面を有し、前記鍵の各変位形成部に係合する面および反対側に整列面を有して、各変位形成部に応じてそれぞれ変位する複数のコード部材を収納し、前記外筒の内部に配設されて回転する内部回転部材と、を備えて、
前記挿入突き当て面に前記鍵突き当て面が当接すると複数のコード部材が前記変位形成部に応じて変位が許容されて、前記内部回転体と前記外筒の間に設定されたシェアラインに前記コード部材の整列面が一致するようにされ、前記内部回転体の回転が許容されるようにしたシリンダー錠において、
前記鍵の操作部に挿入方向に一方の凹部または凸部が形成されて、該一方の凹部または凸部に前記挿入突き当て面が形成され、
前記回転部材が、前記鍵の操作部が挿入される溝部を備え、該溝部内の溝底面に、前記一方の凹部または凸部に嵌合する他方の凸部または凹部が形成され、また該他方の凸部または凹部に鍵突き当て面が形成され、前記一方の凹部または凸部と他方の凸部または凹部とが、前記鍵の操作部が前記溝部に挿入されたときに、嵌合状態を形成し、かつ前記一方の凹部または凸部に形成された前記挿入突き当て面が前記他方の凸部または凹部に形成された鍵突き当て面に当接する当接状態を形成し、当該当接状態を形成したときに、前記コード部材の整列面がシェアラインに一致して前記内部回転部材の回転を許容する状態を形成可能とすること
を特徴とするシリンダー錠。
【請求項２】
請求項１において、前記操作部に形成される前記一方の凹部または凸部の内、凹部であり、前記内部回転体に形成される前記他方の凸部または凹部の内、凸部であることを特徴とするシリンダー錠。
【請求項３】
挿入側に挿入突き当て面を有した操作部、およびこれに一体とされ、複数の凹形状部が形成された挿入部を備えた鍵と、
外筒と、
該外筒の内部に配設され、前記挿入突き当て面に対向して鍵突き当て面を有し、前記鍵の各部に係合する面および反対側に整列面を有して、各部に応じてそれぞれ変位する複数のコード部材を収納し、前記外筒の内部に配設されて回転する内部回転部材と、を備えて、
前記挿入突き当て面が前記鍵突き当て面が当接すると複数のコード部材が前記各部に応じて変位が許容されて、前記内部回転体と前記外筒の間に設定されたシェアラインに前記コード部材の整列面が一致するようにされ、前記内部回転体の回転が許容されるようにしたシリンダー錠において、
前記鍵の前記操作部に挿入方向に一方の凹部または凸部が形成されて、該一方の凹部または凸部に前記挿入突き当て面が形成され、
前記内部回転体に前記一方の凹部または凸部に嵌合する他方の凸部または凹部が形成されて、前記鍵突き当て面が形成され、
前記鍵の挿入部が前記鍵穴に第一段挿入されて、一方の凹部または凸部が前記他方の凸部または凹部に嵌合しない場合に第二段挿入を阻止し、嵌合する場合に第二段挿入を許容されたとき、前記一方の凹部または凸部と他方の凸部または凹部とが、嵌合状態を形成し、かつ前記一方の凹部または凸部に形成された前記挿入突き当て面が前記他方の凸部または凹部に形成された鍵突き当て面に当接する当接状態を形成し、当該当接状態を形成したときに、前記挿入突き当て面が前記鍵突き当て面への当接されるようにして、前記挿入突き当て面が前記鍵突き当て面に当接した時に前記コード部材の整列面がシェアラインに一致して前記内部回転部材の回転を許容する状態を形成可能とすること
を特徴とするシリンダー錠。
【請求項４】
請求項３において、前記シリンダー錠がピンタンブラー錠であって、前記操作部は平坦形状面と直角方向に厚み形状面を有する段差部を挿入側に備えて、該厚み形状面の挿入突き当て面に前記一方の凹部が形成され、前記鍵突き当て面に凸部が形成され、前記外筒の内部に各コード部材に対応して、スプリングで押圧されたドライブ部材を有して、前記シェアラインが該ドライブ部材と、前記内部回転部材との間に設定され、前記内部回転体が第二段挿入を許容して、前記挿入突き当て面が前記鍵突き当て面に当接されると、当該シェアラインに前記コード部材の整列面が一致することが許容されるようにしたことを特徴とするシリンダー錠。
【請求項５】
請求項３において、前記シリンダー錠が八万ロックシリンダー錠であって、前記操作部の挿入突き当て面に凹部が形成され、前記鍵突き当て面に凸部が形成され、前記内部回転体が第二段挿入を許容して、前記挿入突き当て面が前記鍵突き当て面に当接されると、当該シェアラインに前記コード部材の整列面が一致することが許容されるようにしたことを特徴とするシリンダー錠。
【請求項６】
請求項３において、前記シリンダー錠がディスクシリンダー錠であって、前記操作部は平坦形状部を直角方向に厚み形状面を有する段差部を挿入側に備えて、該厚み形状面の挿入突き当て面に前記一方の凹部が形成され、前記鍵突き当て面に凸部が形成され、前記回転体が第二段挿入を許容して、前記挿入突き当て面が前記鍵突き当て面に当接されると、当該シェアラインに前記コード部材の整列面が一致することが許容されるようにしたことを特徴とするシリンダー錠。
【発明の詳細な説明】
【技術分野】
【０００１】
本発明は、シリンダー錠に関し、特に取り付けられる製品側の寸法規制によって外形寸法外形形状の制限を受けて、内部構造を拡張することなどの制限を受けるシリンダー錠に関する。
【背景技術】
【０００２】
従来からピッキングやバンピング等による不正解錠を防止するための工夫を施した多数のシリンダー錠が考案、使用されて来ている。
【０００３】
特許文献１には、鍵穴に挿入したキーの先端位置に、規定長さのキーの先端が当接した場合を除いて内筒の回動を規制する内筒回動規制片を軸線方向に移動可能に配設したシリンダー錠が記載されている。
【０００４】
【特許文献１】特開２００７−３０３２７５号公報
【発明の開示】
【発明が解決しようとする課題】
【０００５】
シリンダー錠によっては取り付けられる製品側の寸法規制によって外形寸法、外形形状の制限を受けて、内部構造を拡張して解錠のための変位部位を増加するような工夫が制限を受ける。また、解錠のための変位部位の増加に際しても部品点数を増加することはコスト高の要因になって望ましいことではない。
【０００６】
発明は、かかる点に鑑みて外形寸法、外形形状の変更を要さず、解錠のための変位部位の増加を部品点数を増加することなく実現することの出来るシリンダー錠を提供することを目的とする。
【課題を解決するための手段】
【０００７】
本発明は、挿入側に挿入突き当て面を有した操作部、およびこれに一体とされ、複数の凹形状部が形成された挿入部を備えた鍵と、
外筒と、
該外筒の内部に配設され、前記挿入突き当て面に対向して鍵突き当て面を有し、前記鍵の各変位形成部に係合する面および反対側に整列面を有して、各変位形成部に応じてそれぞれ変位する複数のコード部材を収納し、前記外筒の内部に配設されて回転する内部回転部材と、を備えて、
前記挿入突き当て面が前記鍵突き当て面が当接すると複数のコード部材が前記変位形成部に応じて変位が許容されて、前記内部回転体と前記外筒の間に設定されたシェアラインに前記コード部材の整列面が一致するようにされ、前記内部回転体の回転が許容されるようにしたシリンダー錠において、
前記鍵の操作部に挿入方向に一方の凹部または凸部が形成されて、該一方の凹部または凸部に前記挿入突き当て面が形成され、
前記内部回転体に前記一方の凹部または凸部に嵌合する他方の凸部または凹部が形成されて、前記鍵突き当て面が形成され、前記挿入突き当て面が前記鍵突き当て面に当接した時に前記コード部材の整列面がシェアラインに一致して前記内部回転部材の回転を許容する状態を形成可能とすること
を特徴とするシリンダー錠を提供する。
【０００８】
本発明は、また、前記操作部に形成される前記一方の凹部または凸部の内、凹部であり、前記内部回転体に形成される前記他方の凸部または凹部の内、凸部であることを特徴とするシリンダー錠を提供する。
【０００９】
本発明は、挿入側に挿入突き当て面を有した操作部、およびこれに一体とされ、複数の凹形状部が形成された挿入部を備えた鍵と、
外筒と、
該外筒の内部に配設され、前記挿入突き当て面に対向して鍵突き当て面を有し、前記鍵の各部に係合する面および反対側に整列面を有して、各部に応じてそれぞれ変位する複数のコード部材を収納し、前記外筒の内部に配設されて回転する内部回転部材と、を備えて、
前記挿入突き当て面が前記鍵突き当て面が当接すると複数のコード部材が前記各部に応じて変位が許容されて、前記内部回転体と前記外筒の間に設定されたシェアラインに前記コード部材の整列面が一致するようにされ、前記内部回転体の回転が許容されるようにしたシリンダー錠において、
前記鍵の前記操作部に挿入方向に一方の凹部または凸部が形成されて、該一方の凹部または凸部に前記挿入突き当て面が形成され、
前記内部回転体に前記一方の凹部または凸部に嵌合する他方の凸部または凹部が形成されて、前記鍵突き当て面が形成され、
前記鍵の挿入部が前記鍵穴に第一段挿入されて、一方の凹部または凸部が前記他方の凸部または凹部に嵌合しない場合に第二段挿入を阻止し、嵌合する場合に第二段挿入を許容し、前記挿入突き当て面が前記鍵突き当て面への当接されるようにして、前記挿入突き当て面が前記鍵突き当て面に当接した時に前記コード部材の整列面がシェアラインに一致して前記内部回転部材の回転を許容する状態を形成可能とすること
を特徴とするシリンダー錠を提供する。
【００１０】
本発明は、また、前記シリンダー錠がピンタンブラー錠であって、前記操作部は平坦形状面と直角方向に厚み形状面を有する段差部を挿入側に備えて、該厚み形状面の挿入突き当て面に前記一方の凹部が形成され、前記鍵突き当て面に凸部が形成され、前記外筒の内部に各コード部材に対応して、スプリングで押圧されたドライブ部材を有して、前記シェアラインが該ドライブ部材と、前記内部回転部材との間に設定され、前記内部回転体が第二段挿入を許容して、前記挿入突き当て面が前記鍵突き当て面に当接されると、当該シェアラインに前記コード部材の整列面が一致することが許容されるようにしたことを特徴とするシリンダー錠を提供する。
【００１１】
本発明は、また、前記シリンダー錠が八万ロックシリンダー錠であって、前記操作部の挿入突き当て面に凹部が形成され、前記鍵突き当て面に凸部が形成され、前記内部回転体が第二段挿入を許容して、前記挿入突き当て面が前記鍵突き当て面に当接されると、当該シェアラインに前記コード部材の整列面が一致することが許容されるようにしたことを特徴とするシリンダー錠を提供する。
【００１２】
本発明は、また、前記シリンダー錠がディスクシリンダー錠であって、前記操作部は平坦形状部を直角方向に厚み形状面を有する段差部を挿入側に備えて、該厚み形状面の挿入突き当て面に前記一方の凹部が形成され、前記鍵突き当て面に凸部が形成され、前記回転体が第二段挿入を許容して、前記挿入突き当て面が前記鍵突き当て面に当接されると、当該シェアラインに前記コード部材の整列面が一致することが許容されるようにしたことを特徴とするシリンダー錠を提供する。
【発明の効果】
【００１３】
本発明は、上述した構造を有していることによって、外形寸法、外形形状の変更を要さず、解錠のための変位部位の増加は、挿入突き当て面に設ける凹部または凸部の錠突き当て面に設ける凸部または凹部によってのみで構成することができ、部品点数を増加させることがないのでコストの上昇を抑えることができる。
【発明を実施するための最良の形態】
【００１４】
以下、本発明の１実施例を図面に基づいて説明する。
【実施例１】
【００１５】
図１は、本発明の実施例のあるシリンダー錠としてのピンタンブラー錠の構成を示す斜視図であり、図２はその正面図であり、図３は図２を９０°回転させた断面図である。図１において、鍵（キー）の挿入前の状態（図１（ａ））、途中の状態（図１（ｂ））および挿入完了状態（図１（ｃ））を示す。
【００１６】
これらの図面において、ピンタンブラー錠１００は、鍵本体１と鍵（キー）２とから構成され、鍵本体１は外筒３と、外筒３内に構成される内部回転部材としての内筒４とを備える。内筒４は筒状に形成され、表面から内部に到達する鍵穴５が形成される。鍵穴５に連通するようにして内筒４には、鍵穴５の直角方向に複数の、図では４つのコードピン孔６が形成してあり、これらのコードピン孔６にコード部材としてのコードピン７が収納される。コードピンの上端部には鍵がつけられている。一方、外筒３にはコードピン孔６に対応し、対向する位置関係でドライバーピン孔８が設けられ、これらのドライバーピン孔８にドライブ部材としてのドライバーピン９が収納される。なお、判り易くするために図３ではコードピン孔６およびドライバーピン孔８がコードピン７およびドライバーピン９とは別々の個所に表示してある。
【００１７】
各ドライバーピン孔８には上部に外筒３の内壁に接するようにしてスプリング１０が収納され、ドライバーピン９は外筒３とコードピン７に接した配置とされ、スプリング１０によってコードピン７の方向に押圧される。
【００１８】
このように構成された内筒４は外筒３内を摺動面を境として回転可能であり、前面に前表面が形成され、そして後部に角度調整ナット１３が設けられる。
【００１９】
鍵２は、指で把持される操作部１５と、これに一体とされた挿入部１６とから構成される。これらの操作部１５、挿入部１６は一定の厚さを有する平坦状に形成される。また、挿入部１６の平坦形状面１７あるいは厚み形状面１８のいずれかには嵌合部（係合部でもある。）としての複数の（図では４つ）の凹部からなるキー溝からなる凹形状部１９が形成される。この凹形状部１９がコードピン７に対する変位を与えるものであり、変位形成部と１種となる。図３では、厚み形状面１８に凹形状部１９が形成されている。凹形状部１９の各キー溝に前述のコードピン孔６に対応、対向しており、すなわちキー溝に対して内筒４のコードピン孔６の位置は同心円状に形成してあり、コードピン孔６内収容のコードピン７は、各キー溝に嵌合（すなわち係合）し得るようにされ、嵌合すると押圧されたドライバーピン９の作用によって操作部１７方向に変位する。適正な鍵２が鍵穴５に挿入された場合、コード嵌合面に反対側の整列面が長手方向に一列に並んで、ドライバーピン９との間にシェアライン２１を形成する。この一致したシェアライン２１が形成されると、内筒４は外筒３に対して回転することができ、回転することによって解錠状態を形成する。反対側に回転され、鍵２が鍵穴５から指し抜かれると施錠状態を形成することになる。
【００２０】
以上の説明は、一般のピンタンブラー錠に共通するものである。
【００２１】
本実施例にあっては、鍵２の操作部１５に挿入方向に、挿入突き当て面および一方の凹部または凸部が形成され、内筒４の前表面に鍵突き当て面および他方の凸部または凹部が形成される。
【００２２】
図２に示すように、操作部１５の挿入突き当て面１２に凹部２２が形成してあり、内筒４の前面部に溝３４が形成され、その内部中央部に鍵挿入方向に突起する凸部２３が形成してある。これらの凹部２２および凸部２３は適正な場合には嵌合可能とされ、嵌合関係が形成され、これによって、凹部の先端の挿入突き当て面１２が溝３４の底面に突き当たるまで挿入可能となる。従って、溝３４の底面が鍵突き当て面１１となる。このように溝３４内に凸部２３が形成してあり、両者は嵌合可能（すなわち係合可能）とされている。すなわち、長手方向（軸線方向）に移動が許容されている。
【００２３】
更に詳述すると、鍵２の操作部１５の挿入側には通常の鍵に形成される段差部２４が形成してあり、この段差部２４は、操作部１５と同一にして平坦形状面２５とこれに直角方向に厚み形状面２６を有しており、段差部２４の先端面であって厚み形状面２６から平坦形状面２５の中央部に向けて凹部２２が形成してある。すなわち、段差部２４の先端の表面が挿入突き当て面１２とされ、この挿入突き当て面１２から挿入方向に向けて溝３４が形成され、溝３４の中央部に凸部２３が形成される。
【００２４】
内筒４は筒状部３１とそれに一体になった表面部３２と後端部３３とからなり、表面部３２は内筒部３１に比べて大きな表面積を有して円盤状に構成され、その表面部３２にはその表面から長手方向の内方に向けて溝３４が設けてあって、この溝３４内に前述の凸部２３、すなわち突起形状部が嵌合可能とされる。この凸部２３の高さは溝３４の深さよりも低くすることが望ましいが、同一のものとして前述の凹部２２の溝の深さを深くするようにしてもよい。いずれにしても凹部２２の溝深さは、凸部の突起高さよりも大きいものとしている。このように構成することによって、凹状の溝３４の底面３５が前述の段差部２４の挿入付き当て面１２が当接する鍵突き当て面１１となる。
【００２５】
従来の鍵にあっては、挿入突き当て面１２と鍵突き当て面１１との当接面が表面部３２の平坦表面に形成されていたが、この実施例によれば、適正な鍵２が挿入された場合にのみ、挿入巻き当て面１２は、凹状の溝３４の底面３５、すなわち平坦表面よりも溝３４の深さだけ深い部分に形成された鍵突き当て面１１に当接する。操作部１５の先端部に凸部を形成し、表面部３２の平坦面にこの凸部に嵌合する凹部を形状するようにしても同一の機能を得ることができるが、凸部よりは凹部を形成することが、機械による模造鍵の製作を防止する上で望ましい。以下に述べる他の例にあっても同じである。
【００２６】
挿入付き当て面１２が鍵突き当て面１１に当接すると複数のコードピン７が凹形状部１９に応じて変位することが許容されて、内筒４と外筒３との間に設定されたシェアライン２１にコードピンの整列面が一致するようにされ、内筒４が回転することが許容されることになる。すなわち、鍵２の挿入部１６が鍵穴５に第一段挿入されて、凹部２２が凸部２３に嵌合しない場合には第二段挿入が阻止され、嵌合する場合には第二段挿入が許容される。このように、挿入突き当て面１２が鍵突き当て面１１に当接した場合を除いて内筒４の回動が凹部と凸部の嵌合形成手段による嵌合形成がなされず規制される。
【００２７】
挿入突き当て面１２を凸２３の先端に、そして鍵突き当て面を凹部の裏面に形成するようにしてもよい。
【００２８】
図２、図３に示す例にあっては、凹部２２と凸部２３との嵌合状態が形成され、挿入突き当て面１２と鍵突き当て面１１とが当接している。この当接面の位置３０から凹形状部１９までの距離は、凹形状部１９のキー溝と内筒４の孔（コードピン孔６）位置が同心円上に持ち来たされて整列面がシェアラインに一致し、解錠を形成し得る状態を形成するに適正な距離である。
【００２９】
図４および図５に示す例にあっては、凹部２２と凸部２３との嵌合状態が形成されないことを示す。従って、この場合には当接面が形成されず、挿入突き当て面１２から凹形状部１９までの距離が適正に設定され得ない。
【００３０】
そして、図４および図５に示す例にあっては、凹部２２と凸部２３との嵌合状態が形成されていても、当接面から凹形状部１９のキー溝と内筒４の孔（コードピン孔６）の位置でズレているために整列面がシェアライン２１に一致せず、解錠状態を形成することができない。
【００３１】
このように、鍵１の操作部１５に挿入方向に一方の凹部または凸部が形成されて、この一方の凹部または凸部に挿入突き当て面１２が形成され、内部回転体に一方の凹部または凸部に嵌合する他方の凸部または凹部が形成されて、鍵突き当て面１１が形成され、挿入突き当て面１２が鍵突き当て面１１に当接した時にコード部材（コードピン７）の整列面がシェアライン２１に一致して内部回転部材の回転を許容する状態を形成可能とすることができる。
【００３２】
また、鍵１の挿入部１６が鍵穴５に第一段挿入されて、一方の凹部または凸部が他方の凸部または凹部に嵌合しない場合に第二段挿入を阻止し、嵌合する場合に第二段挿入を許容し、挿入突き当て面１２が鍵突き当て面１１への当接されるようにして、挿入突き当て面１２が付き当て面１１に当接した時にコード部材（コードピン７）の整列面がシェアライン２１に一致して内部回転部材の回転を許容する状態を形成可能とすることができる。
【実施例２】
【００３３】
図８は、本発明の実施例であるシリンダー錠の八万ロックシリンダー錠の構成を示す斜視図である。図９は、実施例の正面断面を示す図である。本実施例についても機能および作用は先の実施例と同じである。実施例１と同一機能の部材には同一の数字を付し、実施例１の説明を援用するものとする。
【００３４】
これらの図において、八万ロックシリンダー錠２００は鍵本体１と鍵（キー）２とから構成され、鍵本体１は外筒３と、外筒３内に構成される内部回転部材としての内部回転体４´とを備える。内部回転体４´には、拡張円盤部４Ａと先端部４Ｂに切欠いた溝部４Ｃが形成される。
【００３５】
外筒３は、内部にピン４１で一体化されるスリーブ５１を備え、前面側に鍵穴５´が形成される。
【００３６】
内部回転体４´の係止部４Ｂにはコードピン孔６が円周上に複数個形成され、コードピン７が収納される。スリーブ５１にはアンダーピン孔８´（実施例１のドライバーピン孔８に相当）がコードピン孔６に対応、対向して形成され、アンダーピン９´スプリング１０が収納される。この例ではコードピンがコードピン部材となる。このようにして構成された内部回転体４´は外筒３内を所定角度、摺動面を境として回転可能である。
【００３７】
鍵２は、指で把持される操作部１５と、これに一体化された挿入部１６とから構成される。挿入部１６は、平坦状に構成される第一の挿入部１６Ａと中央部でかしめによって支持された円形状の第二の挿入部１６Ｂとから形成される。第一の挿入部１６Ａの先端部には突起４２が形成され、内部回転体４´の溝部４Ｃに嵌合する。第二の挿入部１６Ｂと内部回転体４´との間には空間部４４が設けられる。第二の挿入部１６Ｂの先端部には深さの異なる溝部５２が形成され、溝部５２と外筒３の内筒に形成した溝５３とによって孔とされ、整列側部がコードピン孔６に収納されたコードピン７の一部、すなわちコード面側の一部が収納される。この溝部４２がコードピン７に対する変位を与えるものであり、変位形成部となる。第二の挿入部１６Ｂに当接可能とされている。
【００３８】
すべてのコードピン７に第二の挿入部１６Ｂが当接してコードピン７を変位させ、変位変成部によるコードピン７の変位が適正である場合に、各コードピン７の整列面はシェアライン２１に一致する。この一致するシェアライン２１が形成されると、内部回転体４´は外筒３に対して回転することができ、回転することによって解錠状態を形成する。
【００３９】
以上の説明は、一般の八万ロックシリンダー錠に共通するものであるのでこれ以上の詳細な説明は要しないであろう。
【００４０】
本実施例にあっては、第一の挿入部１６Ａの先端面から凸状に突出する形で二段形成のプラグ４５が設けてあり、プラグ４５は根元部からそれぞれ一段形成部４６、二段形成部４７となる。また、拡張円盤部４Ａの前面には前記二段形成部と嵌合する（係合する）溝４８が形成される。このプラグ４５が凸部となり、溝４８が凹部となる。凸部と凹部の形成は実施例１と同様にこの実施例と反対に凹部と凸部としてもよい。
【００４１】
このように構成することによって実施例と同様に一方の凸部の一段形成部４６の先端面に挿入突き当て面１２を形成し、他方の凹部の入口面に鍵突き当て面１１を形成することができる。両者の面１１，１２によって当接面３０が形成されることになる。
【００４２】
挿入突き当て面１２と鍵突き当て面１１の構造は以上説明した通りであり、当接したことによる機能、作用は実施例１と同様である。
【００４３】
図９は適正鍵（キー）が挿入された時の作用を示す図である。
【００４４】
図１０に示すように不適正鍵が挿入された場合には一致するシェアライン２１は形成されず、解錠の状態は形成されない。
【実施例３】
【００４５】
図１１は、図１０に示す八万ロックシリンダー錠２００の一部を変形させた他の実施例である構成を示す。同一構成については同一の数字を付して説明は図１０によるものとして繰り返さないで、変形した構成について説明する。
【００４６】
この例では、操作部１６は一枚の平坦板で形成されており、この平坦板が第一の挿入部１６Ａおよび第二の挿入部１６Ｂを形成することになる。プラグ４５は、操作部１６の先端面に内部回転体４´に向けて形成してあり、プラグ４５に対応し、対向して内部回転体４´の先端面には溝４６が形成してある。プラグ４５は凸部として凹部としての溝４６に嵌合する。適正な鍵を使用して、適正に嵌合すると挿入部１６の先端面が挿入突き当て面１２となり、内部回転体１６Ｂの先端面が鍵突き当て面１１となって当接し、当接面を形成することになる。
【００４７】
このようにすることによっても、凸部と凹部とによる嵌合状態を形成することができ、図１０と同様の機能、作用を得ることができる。
【００４８】
前述の凸部に代えて、凹部にし、凹部に代えて凸部にすることによっても同様の機能、作用を得ることができる。操作部１６に凹部を形成し、内部回転体４´に凸部を形成するのが機械装置による模造品製作防止のために有効であることは実施例と同様である。
【００４９】
図１２は、図１１に示すプラグ４５が適正に製作されなかったために溝４６に嵌合せず、一致したシェアライン２１を形成することの出来ない不正鍵挿入の状態を示す。従って、この実施例の場合にあっても、凸部および凹部によって嵌合状態が形成されたことが前提として当接面とシェアライン２１との距離が適正にされた鍵２が使用されなければ解錠状態を形成するには至らない。
【実施例４】
【００５０】
図１３は本発明の他の実施例であるシリンダー錠としてのディスクタンブラー錠３００の構成を示す図であり、図１４はその正面断面を示す図である。
【００５１】
図１、図２に示す実施例１と同一の構成については同一の数字を付して実施例１の説明を援用し、説明を繰り返さないようにする。
【００５２】
実施例１に示すピンタンブラー錠１００に比べて、ディスクタンブラー錠３００にあっては、コードピン、ドライバーピンおよびスプリングに代えてディスクタンブラー孔６Ａに収納したディスクタンブラー７Ａが使用され、シェアライン２１がディスクタンブラー７Ａと外筒３の内部壁５０との間に形成される。以上のようにして形成されるディスクタンブラー錠の構造は通常のディスクタンブラー錠に共通するものである。
【００５３】
鍵２が合う合わないは、鍵２の長さ、厚さ、幅はもちろん、ストッパーやキー溝、鍵山がポイントになることは実施例１と同様であり、従ってディスクタンブラー７Ａがコード機能を有しており、従ってこの例の場合、ディスクタンブラー７Ａがコード部材ということになる。
【００５４】
本実施例にあっても、鍵２の操作部１５に挿入方向に、挿入突き当て面および一方の凹部または凸部が形成され、内筒４の前表面に鍵突き当て面および他方の凸部または凹部が形成される。
【００５５】
図１４に示すように、操作部１５の挿入突き当て面１２に凹部２２が形成してあり、内筒４の前面部に溝３４が形成され、その内部中央部に鍵挿入方向に突起する凸部２３が形成してある。これらの凹部２２および凸部２５は適正な場合には嵌合可能とされ、嵌合関係が形成され、凹部の先端の挿入突き当て面１２が溝３４の底面に突き当たるまで挿入可能となる。従って、溝３４の底面が鍵突き当て面１１となる。このように溝３４内に凸部２３が形成してあり、両者は嵌合可能（すなわち係合可能）とされている。すなわち、長手方向（軸線方向）に移動が許容されている。
【００５６】
更に詳述すると、鍵２の操作部１６の挿入側には通常の鍵に形成される段差部２４が形成してあり、この段差部２４は、操作部１５と同一にして平坦形状面２５とこれに直角方向に厚み形状面２６を有しており、段差部２４の先端面であって厚み形状面２６から平坦形状面２５の中央部に向けて凹部２２が形成してある。すなわち、段差部２４の先端の表面が挿入突き当て面１２とされ、この挿入突き当て面１２から挿入方向に向けて溝３４が形成され、溝３４の中央部に凸部２３が形成される。
【００５７】
内筒４は筒状部３１とそれに一体になった表面部３２と後端部３３とからなり、表面部３２は内筒部３１に比べて大きな表面積を有して円盤状に構成され、その表面部３２にはその表面から長手方向の内方に向けて溝３４が設けてあって、この溝３４内に前述の凸部２３、すなわち突起形状部が嵌合可能とされる。この凸部２３の高さは溝３４の深さよりも低くすることが望ましいが、同一のものとして前述の凹部２２の溝の深さを深くするようにしてもよい。いずれにしても凹部２２の溝深さは、凸部の突起高さよりも大きいものとしている。このように構成することによって、凹状の溝３４の底面３５が前述の段差部２４の挿入付き当て面１２が当接する鍵突き当て面１１となる。
【００５８】
従来の鍵にあっては、挿入突き当て面１２と鍵突き当て面１１との当接面が表面部３２の平坦表面に形成されていたが、この実施例によれば、凹状の溝３４の底面３５、すなわち平坦表面よりも溝３４の深さだけ深い部分に形成された鍵突き当て面１１に当接する。操作部１５の先端部に凸部を形成し、表面部３２の平坦面にこの凸部に嵌合する凹部を形状するようにしても同一の機能を得ることができるが、凸部よりは凹部を形成することが、機械による模造鍵の製作を防止する上で望ましい。
【００５９】
挿入付き当て面１２が鍵突き当て面１１に当接すると複数のコードピン７が凹形状部１９に応じて変位することが許容されて、内筒４と外筒３との間に設定されたシェアライン２１にコードピンの整列面が一致するようにされ、内筒４が回転することが許容されることになる。すなわち、鍵２の挿入部１６が鍵穴５に第一段挿入されて、凹部２２が凸部２３に嵌合しない場合には第二段挿入が阻止され、嵌合する場合には第二段挿入が許容される。このように、挿入突き当て面１２が鍵突き当て面１１に当接した場合を除いて内筒４の回動が凹部と凸部の嵌合形成手段による嵌合形成がなされず規制される。
【００６０】
図１４に示す例にあっては、凹部２２と凸部２３との嵌合状態が形成され、挿入突き当て面１２と鍵突き当て面１２とが当接している。この当接面の位置３０から凹形状部１９までの距離は、凹形状部１９のキー溝と内筒４の孔（ディスクタンブラー孔６）位置が同心円上に持ち来たされて整列面がシェアライン２１に一致し、解錠を形成し得る状態を形成するに適正な距離である。
【００６１】
図１５に示す例にあっては、凹部２２と凸部２３との嵌合状態が形成されないことを示す。従って、この場合には当接面が形成されず、挿入突き当て面１２から凹形状部１９までの距離が適正に設定され得ない。
【００６２】
そして、図１４に示す例にあっては、凹部２２と凸部２３との嵌合状態が形成されていても、当接面から凹形状部１９のキー溝と内筒４の孔（ディスクタンブラー孔６）の位置でズレているために整列面がシェアライン２１に一致せず、解錠状態を形成することができない。
【００６３】
このように、鍵１の操作部１５に挿入方向に一方の凹部または凸部が形成されて、この一方の凹部または凸部に挿入突き当て面１２が形成され、内部回転体に一方の凹部または凸部に嵌合する他方の凸部または凹部が形成されて、鍵突き当て面１１が形成され、挿入突き当て面１２が鍵突き当て面１１に当接した時にコード部材（ディスクタンブラー７´）の整列面がシェアライン２１に一致して内部回転部材の回転を許容する状態を形成可能とすることができる。
【００６４】
また、鍵１の挿入部１６が鍵穴５に第一段挿入されて、一方の凹部または凸部が他方の凸部または凹部に嵌合しない場合に第二段挿入を阻止し、嵌合する場合に第二段挿入を許容し、挿入突き当て面１２が鍵突き当て面１１への当接されるようにして、挿入突き当て面１２が鍵付き当て面１１に当接した時にコード部材（ディスクタンブラー７´）の整列面がシェアライン２１に一致して内部回転部材の回転を許容する状態を形成可能とすることができる。
【００６５】
以上のように、本実施例では、実施例１でピンタンブラー錠１００について、実施例２、３で八万ロックシリンダー錠２００について、そして実施例３でディスクタンブラー錠の例について示したが、各種シリンダー錠あるいはタンブラー錠についても適用することができる。
【図面の簡単な説明】
【００６６】
【図１】本発明の実施例のピンタンブラー錠の構成を示す斜視図。
【図２】本実施例の正面図。
【図３】図２の正面断面図。
【図４】不正鍵（キー）挿入時の状態（１）を示す本実施例の正面図。
【図５】図４の正面断面図。
【図６】不正鍵（キー）挿入時の状態（２）を示す本実施例の正面図。
【図７】図６の正面断面図。
【図８】本発明の他の実施例の八万タンブラー錠の構成を示す斜視図。
【図９】他の実施例の正面断面図。
【図１０】不正鍵（キー）挿入時の状態を示す他の実施例の正面断面図。
【図１１】他の実施例の正面断面図。
【図１２】不正鍵（キー）挿入時の状態を示す他の実施例の正面断面図。
【図１３】本実施例の他の実施例のディスクタンブラー一定の構成を示す斜視図。
【図１４】他の実施例のディスクタンブラー一定の構成を示す斜視図。
【図１５】不正鍵（キー）挿入時の状態を示す他の実施例の正面断面図。
【符号の説明】
【００６７】
１…鍵本体、２…鍵（キー）、３…外筒、４…内筒（内部回転体）、４´…内部回転体、５…鍵穴、６…コードピン孔、６Ａ…ディスクタンブラー孔、７…コードピン、８…ドライバーピン孔、８´…アンダーピン孔、９…ドライバーピン、９´…アンダーピン、１０…スプリング、１１…鍵突き当て面、１２…挿入突き当て面、１５…操作部、１６…挿入部、１６Ａ…第一の挿入部、１６Ｂ…第二の挿入部、１９…凹形状部、２１…シェアライン、２２…凹部、２３…凸部（突起部）、２４…段差部、２５…平坦形状面、２６…厚み形状面、３４…溝、３５…溝の底面、４５…プラグ（凸部）、４８…溝（凹部）、１００…ピンタンブラー錠、２００…八万ロックシリンダー錠、３００…ディスクタンブラー錠。
【図１】
0005191269.tif 000002
【図２】
0005191269.tif 000003
【図３】
0005191269.tif 000004
【図４】
0005191269.tif 000005
【図５】
0005191269.tif 000006
【図６】
0005191269.tif 000007
【図７】
0005191269.tif 000008
【図８】
0005191269.tif 000009
【図９】
0005191269.tif 000010
【図１０】
0005191269.tif 000011
【図１１】
0005191269.tif 000012
【図１２】
0005191269.tif 000013
【図１３】
0005191269.tif 000014
【図１４】
0005191269.tif 000015
【図１５】
0005191269.tif 000016